(57)【特許請求の範囲】
【請求項１】
容器を包装する包装スリーブであって、
前記容器上部に対応するように設けられる天板と、
第１折部を介して前記天板の一方に連設される第１側板と、
第２折部を介して前記天板の他方に連設される第２側板と、
第３折部を介して前記第１側板に部分的に連設される第３板と
を備え、
前記第３板は、係止部と、脚部とを有し、
前記第３折部にて前記第１側板と前記第３板とが折られて、前記容器を包装する状態にて、
前記係止部は、前記容器底面に係止されるように、前記第３折部より内側に突出し、
前記脚部は、前記天板を起立させるように、前記第３折部より外側に突出する
ことを特徴とする包装スリーブ。
【請求項２】
前記第３折部は、前記係止部を容器底面方向に回動させる勾配を有する
ことを特徴とする請求項１記載の包装スリーブ。
【請求項３】
フランジ付容器を包装する包装スリーブであって、
前記第１折部の中央に設けられる第１切れ目と、
前記第１切れ目の両端に設けられ、かつ、前記第１切れ目より前記天板側に突出するように切り込まれて形成される第１フランジ留と、
前記第２折部の中央に設けられる第２切れ目と、
前記第２切れ目の両端に設けられ、かつ、前記第２切れ目より前記天板側に突出するように切り込まれて形成される第２フランジ留と、
を備える
ことを特徴とする請求項１記載の包装スリーブ。
【請求項４】
請求項１〜３いずれかに記載の包装スリーブと、
前記包装スリーブに被覆される容器と、
を含むことを特徴とする包装体。
【発明の詳細な説明】
【技術分野】
【０００１】
本発明は、包装スリーブと、包装スリーブを備えた包装体に関する。
【背景技術】
【０００２】
食品等の包装において、内容物を樹脂製容器等に充填し、この樹脂製容器を包装スリーブにより被覆することがある。
【０００３】
樹脂製容器は、密封性に優れ、フランジにおけるシールも良好であるという長所を有する一方、外面に美麗な印刷を施すことに制約があるという短所を有する。
【０００４】
紙製容器は、外面に美麗な印刷を施すことができるという長所を有する一方、長期間の保存において微細なピンホールから空気や内容物が漏れるおそれがあるという短所を有する。また、内容物充填後に蓋をする際、フランジのシーム段差においてシール不良となるおそれもある。
【０００５】
そこで、両者の長所を生かすべく、グラビア印刷等を施した紙製スリーブ（外装体）を樹脂製容器の外周に設ける包装体が提案されている。つまり、包装スリーブに紙を用いる。
【０００６】
ところで、食品等の包装体では、厚さ（高さ）に比べて、上面・下面の面積が大きくなる。すなわち平状になる。したがって、包装スリーブの天板に、美麗な印刷を施す。
【０００７】
一方、平状の商品（包装体）が店舗で陳列される場合は、一般に平積みされる。平積み陳列では、より多くの商品を置くことができるが、印刷面(天板)の方向と消費者の視線とが一致しないため、側面印刷によるアイキャッチしか得られず、印刷によるアイキャッチ効果が充分に発揮されない。
【０００８】
店舗でのアイキャッチ効果を高めるため、商品を自立させ、印刷面を消費者の視線と一致させる面陳列が望まれる。しかしながら、一般に、樹脂製容器は上から下に縮小するようなテーパを有し、包装スリーブも樹脂製容器に対応した形状になる。すなわち、自立時の接地面となる側面は傾斜しており、かつ、底面に比べて小さい。したがって、商品を自立させることは難しい。
【０００９】
これに対し、商品を自立させ、印刷面を消費者の視線と一致させる面陳列に関する技術が提案されている（たとえば、特許文献１または特許文献２）。
【００１０】
特許文献１の包装スリーブは、天板と２つの側板と底板を備える。底板には連結手段が設けられる。連結により、容器全周を被覆するように、包装スリーブが形成される。側板と底板との間に、折部より側板側に突出する切れ目が設けられる。すなわち、切れ目により、底板の一部が外方向に突出する。面陳列に対し、突出部は脚部として作用する。これにより、充分なアイキャッチ効果が期待できる。
【００１１】
特許文献２の包装具は、天板と天板に連設される支持体を備える。天板と支持体とは、折目を介して連続しているとともに、支持体の一部が天板に接着されている。天板と支持体との間には挿入スリットが設けられ、容器のフランジが挿入スリットに挿入されて、包装具と容器が一体化される。面陳列に対し、支持体の底面が自立時の接地面となる。これにより、充分なアイキャッチ効果が期待できる。
【先行技術文献】
【特許文献】
【００１２】
【特許文献１】実開昭６４‐３２３６８号公報
【特許文献２】実開平７‐２２２０号公報
【発明の概要】
【発明が解決しようとする課題】
【００１３】
しかしながら、特許文献１の包装スリーブおよび特許文献２の包装具は、下記のような課題があった。
【００１４】
特許文献１の包装スリーブは、底板における連結手段を必須の構成とする。連結手段がなければ、包装スリーブと容器は一体化しない。しかしながら、底板は天板に次いで大きな面積を有するため、底板を設けると、展開状態（ブランク）においてより多くの面積の紙シートが必要となる。
【００１５】
特許文献２の包装具は、接着を必須の工程とする。接着がなければ、包装具と容器は一体化しない。しかしながら、その結果、製造コストが高くなり、製造スピードが落ち、好ましくない。また、容器使用後廃棄する際には、嵩張る。減容しようとすると、接着を剥す必要がある。さらに、内容物が食品の場合、接着剤の臭いが問題視されることが多い。
【００１６】
すなわち、包装体（商品）の自立の前提として、包装スリーブと容器の一体化を如何にするかを検討することが重要である。
【００１７】
本発明は、上記課題を解決するものであり、使用するシート面積を低減し、接着を必要することなく、包装スリーブと容器とを確実に一体化でき、かつ、商品の自立を可能とする包装スリーブを提供することを目的とする。
【課題を解決するための手段】
【００１８】
上記の目的を達成するために、本発明は、容器を包装する包装スリーブであって、前記容器上部に対応するように設けられる天板と、第１折部を介して前記天板の一方に連設される第１側板と、第２折部を介して前記天板の他方に連設される第２側板と、第３折部を介して前記第１側板に連設される第３板と、前記第１側板と前記第３板との間に、前記第３折部より前記第１側板側に突出して設けられる切れ目（第３切れ目）とを備え、前記第３板は、ブランク状態にて、前記第３折部より前記第１側板側に突出する係止部と、前記係止部に連続するとともに、第３折部を介して前記第１側板に連設される脚部とを有する。
【００１９】
上記の目的を達成するために、本発明は、容器を包装する包装スリーブであって、前記容器上部に対応するように設けられる天板と、第１折部を介して前記天板の一方に連設される第１側板と、第２折部を介して前記天板の他方に連設される第２側板と、第３折部を介して前記第１側板に連設される第３板とを備え、前記第３板は、前記容器を包装する状態にて、前記容器底面に係止されるように、前記第３折部より内側に突出する係止部と、前記天板を起立させるように、前記第３折部より外側に突出する脚部とを有する。
【００２０】
第３折部が折られることにより、係止部と脚部とが同時に形成される。
【００２１】
係止部は、容器底面に係止される。包装スリーブと容器とが一体化する。脚部は、その端部が接地することにより、容器を包装した状態で天板（印刷面）を起立させる。このとき、底板がないため、使用するシート面積を低減できる。また接着も不要である。
【００２２】
上記発明において好ましくは、前記第３折部は、前記係止部を容器底面方向に回動させる勾配を有する。
【００２３】
これにより、係止部はより確実に容器底面に係止される。
【００２４】
上記発明において好ましくは、包装スリーブは、フランジ付容器を包装する。前記第１折部の中央に設けられる第１切れ目と、前記第１切れ目の両端に設けられ、かつ、前記第１切れ目より前記天板側に突出するように切り込まれて形成される第１フランジ留と、前記第２折部の中央に設けられる第２切れ目と、前記第２切れ目の両端に設けられ、かつ、前記第２切れ目より前記天板側に突出するように切り込まれて形成される第２フランジ留と、を備える。
【００２５】
これにより、係止部はより確実に容器底面に係止され、さらに、容器と包装スリーブとの一体化を確実にする。
【００２６】
上記の目的を達成するために、本発明は、フランジ付容器を包装する包装スリーブであって、前記容器上部に対応するように設けられる天板と、第１折部を介して前記天板の一方に連設される第１側板と、第２折部を介して前記天板の他方に連設される第２側板と、前記第１折部の中央に設けられる第１切れ目と、前記第１切れ目の両端に設けられ、かつ、前記第１切れ目より前記天板側に突出するように切り込まれて形成される第１フランジ留と、前記第２折部の中央に設けられる第２切れ目と、前記第２切れ目の両端に設けられ、かつ、前記第２切れ目より前記天板側に突出するように切り込まれて形成される第２フランジ留と、を備える。
【００２７】
上記の目的を達成するために、本発明の包装体は、上記包装スリーブと、前記包装スリーブに被覆される容器と、を含む。
【発明の効果】
【００２８】
本発明の包装スリーブによれば、使用するシート面積を低減し、接着を必要することなく、包装スリーブと容器とを確実に一体化でき、かつ、商品の自立を可能とする。
【図面の簡単な説明】
【００２９】
【図１】本実施形態に係る包装スリーブの概略構成（展開平面図）
【図２】本実施形態に係る包装スリーブの概略構成（形成後斜視図）
【図３】本実施形態に係る包装体の概略構成（分解斜視図）
【図４】本実施形態に係る包装体の詳細構成（側面図）
【図５】本実施形態に係る第３折部の詳細構成（平面図）
【図６】本実施形態に係る回動動作による作用説明（側面図）
【図７】変形例１に係る包装スリーブの概略構成（展開平面図）
【図８】変形例２に係る包装体の概略構成（分解斜視図）
【図９】変形例３に係る包装スリーブの概略構成（展開平面図）
【図１０】変形例４に係る包装スリーブの概略構成（展開平面図）
【発明を実施するための形態】
【００３０】
＜実施形態＞
〜概略構成・作用〜
本発明の実施形態の概略構成およびその作用について説明する。図１および図２は、本実施形態に係る包装スリーブの概略構成を示す図である。図３は、容器と包装スリーブとの一体化直前の包装体の状態を示す図である。
【００３１】
包装スリーブ１０は、一枚のシート（ブランク）に展開され（図１参照）、折部にて折ることにより形成される（図２参照）。さらに、容器５０を包装スリーブ１０により被覆することにより、包装体が形成される（図３参照）。
【００３２】
容器５０は、例えば樹脂製容器である。内容物を充填できれば、アルミ箔製等他の素材でも良い。内容物は例えば、食品であるが、他の内容物でもよい。
【００３３】
図示の場合、容器５０は、略矩形の底面５１と、底面５１から立ち上がる側面５２と、側面５２の上端にて外周に突出されているフランジ５３とを有する。側面５２は、上から下に縮小するようなテーパを有する。フランジ５３の四隅を曲線状に面取りするように面取り部５４，５４，５５，５５が形成されている。容器５０の開口はフィルムにより密封されている（図示省略）。
【００３４】
包装スリーブ１０は、例えば紙製である。折ることや切り込むことが容易であり、かつ、印刷が容易であれば、他の素材でもよい。紙表面（好ましくは外表面であるが両面であってもよい）には高分子等によるラミネート被覆（好ましくは、耐水性または撥水性を有する被膜）が施されていてもよい。なお、紙製品に対する印刷の容易性を利用して、予め、紙表面に精緻で美麗な印刷を施すことが可能である。
【００３５】
包装スリーブ１０は容器５０を被覆するように構成されている。すなわち、天板１と、２つ側板２，３と、特殊板（第３板）４が一枚の紙製シートに展開されている。
【００３６】
天板１は、容器５０開口に対向する。側板２は、折り目１１，１１，１２，１２および調整面５，５を介して、天板１の一方に連設される。側板３は、折り目２１，２１，２２，２２および調整面６，６を介して、天板１の他方に連設される。折り目１１，１１，１２，１２および調整面５，５は、第１折部を構成する。折り目２１，２１，２２，２２および調整面６，６は、第２折部を構成する。
【００３７】
天板１と側板２の境界（第１折部）中央には、第１折部に沿って、切れ目（第１切れ目）１３が設けられる。天板１と側板３の境界（第２折部）中央には、第２折部に沿って、切れ目（第２切れ目）２３が設けられる。
【００３８】
切れ目１３は、中央および両端において、切れ目１３より天板１側に突出するように切り込まれている。切れ目２３は、中央および両端において、切れ目２３より天板１側に突出するように切り込まれている。
【００３９】
折り目１１，１１，１２，１２が山折（図示破線）されると、切れ目１３はスリット１４を形成する。これに伴い、切れ目１３中央の突出は、中央フランジ係１５を形成し、切れ目１３両端の突出は、端部フランジ留（第１フランジ留）１６，１６を形成する。折り目２１，２１，２２，２２が山折されると、切れ目２３はスリット２４を形成する。これに伴い、切れ目２３中央の突出は、中央フランジ係２５を形成し、切れ目２３両端の突出は、端部フランジ留（第２フランジ留）２６，２６を形成する。
【００４０】
特殊板４（第３板）は、折り目３１,３１（第３折部）を介して側板２に連設される。特殊板４は、係止部３４と脚部３５を有する。
【００４１】
側板２と特殊板４の境界（第３折部）中央には、切れ目（第３切れ目）３２が設けられる。切れ目３２は、折り目３１,３１より側板２側に突出するように切り込まれている。
【００４２】
係止部３４は切れ目３２に対応して形成される。すなわち、ブランク状態にて係止部３４は折り目３１より側板２側に突出する。脚部３５は係止部３４に連続するとともに、折り目３１を介して側板２に連設される。
【００４３】
折り目３１が谷折（図示一点鎖線）されると、切れ目３２は開口３３を形成し、切れ目３２中央の突出は、折り目３１より内方向（容器に近づく方向）に突出する係止部３４を形成する。一方で、特殊板４のうち係止部３４以外の領域は、折り目３１より外方向（容器から離れる方向）に突出する脚部３５を形成する。
【００４４】
係止部３４は、容器底面５１に係止される。脚部３５は、その端部が接地することにより、容器５０を包装した状態で天板１を起立させる。
【００４５】
〜詳細構成・作用〜
本実施形態の詳細構成およびその作用について図４〜６に基づき説明する。図４〜６において図示が不十分な構成については、図１〜３を参照する。
【００４６】
図４は本実施形態に係る包装体の詳細構成を示す図である。包装体は、包装スリーブ１０と容器５０とを一体化することにより形成される。
【００４７】
容器フランジ５３の１辺は、スリット１４を挿通して突出する。その際、中央フランジ係１５は、容器フランジ５３の返し部裏側に係止される（図示省略）。さらに、端部フランジ留１６，１６は、面取り部５４，５４に当接される。同様に、容器フランジ５３の反対側の１辺は、スリット２４を挿通して突出する。その際、中央フランジ係２５は、容器フランジ５３の返し部裏側に係止される。さらに、端部フランジ留２６，２６は、面取り部５５，５５に当接される。なお、返し部がないフランジ裏側でも係止可能である。
【００４８】
一方、係止部３４は、容器底面５１に係止される。これにより、包装スリーブ１０と容器５０とは、確実に一体化する。
【００４９】
係止部３４による係止により、包装体が形成されると、脚部３５は容器外方向（容器から離れる方向）に突出する。スリット１４より突出したフランジ５３と脚部３５とを接地とすると、天板１の印刷面を消費者の視線と一致させるように、包装体は自立する。
【００５０】
天板１と接地面のなす角度は９０度未満であることが好ましい。天板１と接地面のなす角度は、脚部３５の長さ（折り目３１から脚部３５接地端部までの距離）により調整可能である。
【００５１】
天板１と接地面のなす角度が９０度未満である場合、内容物の自重の一部は、底面方向（図示右方向）に作用する。係止部３４には反作用が生じる。これにより、係止部３４は、より確実に容器底面５１に係止される。
【００５２】
なお、包装体が平積みされる場合、内容物の自重は底面方向に作用し、係止部３４はより確実に容器底面５１に係止される（図示省略）。
【００５３】
図５は、本実施形態に係る第３折部（折り目３１,３１）の詳細構成を示す図である。図示左右の折り目３１，３１は、外縁から切り目３２端部方向に、側板２側に近づくように微小な勾配を有する。なお、説明の便宜のため、図示では勾配を強調している。
【００５４】
折り目３１，３１が谷折されると、シートの弾性により、谷折を戻す方向の回動（第１回動）が作用する。その際、勾配により第１回動は付勢される。
【００５５】
図６は、本実施形態に係る回動動作による作用を説明する図である。谷折を戻す作用と折り目３１，３１の勾配により、折り目３１，３１まわりに第１回動（図示反時計回り）が付勢され、係止部３４は容器底面５１方向に回動される。これにより、係止部３４は、より確実に容器底面５１に係止される。
【００５６】
続いて、図３および図６に基づいて、第２回動について説明する。
【００５７】
前述のとおり、容器フランジ５３の１辺は、スリット１４を挿通して突出し、中央フランジ係１５は、容器フランジ５３の返し部裏側に係止され、さらに、端部フランジ留１６，１６は、面取り部５４，５４に当接される。
【００５８】
端部フランジ留１６，１６と面取り部５４，５４との当接は、側面２の両端を容器側に押す様に作用する。すなわち、第１折部（折り目１１，１１，１２，１２，調整面５，５）付近を中心に側面２を容器側に近づける回動（第２回動）が付勢される。第２回動（図示反時計回り）により側面２を介して、係止部３４は容器底面５１方向に回動される。これにより、係止部３４は、より確実に容器底面５１に係止される。
【００５９】
なお、図示の例では、端部フランジ留１６，１６は面取り部５４，５４に当接されているが、フランジ５３の直線部に当接されていても、第２回動は発生する。
【００６０】
図３に戻り、端部フランジ留１６，１６および端部フランジ留２６，２６の別の作用について説明する。
【００６１】
端部フランジ留１６，１６と面取り部５４，５４との当接により、端部フランジ留１６，１６は、容器フランジ５３の最外縁（図３の場合、面取り部５４，５４間の容器フランジ５３直線部）より、内側(容器中心に近づく方向)に位置する。その結果、容器フランジ５３は、端部フランジ留１６，１６の間に拘束される。
【００６２】
端部フランジ留２６，２６も端部フランジ留１６，１６と同様に、容器フランジ５３を拘束する。これにより、第１折り部および第２折部平行方向の容器のズレを抑制する。
【００６３】
次いで、調整面５，５および調整面６，６の作用について説明する。
【００６４】
本実施形態において、第１折部は、折り目１１，１１，１２，１２および調整面５，５から構成されているが、第１折部が、折り目１１，１１のみから構成されていてもよい。
【００６５】
ただし、折り目１１，１１のみの場合は、面取り部５４，５４が折り目１１，１１付近の側板２に当たり、側板２が外方向（容器側面から離れる方向）に押されてしまい、第２回動とは反対の力が作用する。
【００６６】
これに対し、本実施形態では、折り目１１，１１，１２，１２により調整面５，５が形成される。
【００６７】
調整面５，５が天板１から側板２にむかって外方向（容器側面から離れる方向）になるように形成されるため、側板２と面取り部５４，５４の当接を避けることができる。したがって、第２回動を阻害することはない。
【００６８】
さらに、調整面５，５の内側片（容器に近い側）は、面取り部５４，５４に当接される。調整面５，５も端部フランジ留１６，１６と同様に、容器フランジ５３を拘束する。これにより、第１折り部平行方向の容器のズレを抑制する。
【００６９】
調整面６，６の作用も調整面５，５の作用と同様である。
【００７０】
〜効果〜
本実施形態の効果について説明する。
【００７１】
脚部３５により、包装体は自立する。これにより、天板１の印刷面と消費者の視線とは一致する。面陳列により、充分なアイキャッチ効果が期待できる。
【００７２】
係止部３４と容器底面５１との係止構造により、包装スリーブ１０と容器５０と一体化する。すなわち、底板を必要としない。底板を備える包装スリーブと比較して、使用するシート面積を低減できる。
【００７３】
また、包装スリーブ１０と容器５０と一体化において、接着を必要としないため、接着に係る課題が発生しない。
【００７４】
折り目３１，３１の勾配による第１回動により、係止部３４はより確実に容器底面５１に係止される。
【００７５】
端部フランジ留１６，１６と面取り部５４，５４との当接構造による第２回動により、係止部３４はより確実に容器底面５１に係止される。
【００７６】
端部フランジ留１６，１６と面取り部５４，５４との当接構造および端部フランジ留２６，２６と面取り部５５，５５との当接構造は、第１折り部および第２折部平行方向の容器のズレを抑制する。この点でも、包装スリーブ１０と容器５０との一体化を確実にする。
【００７７】
調整面５，５および調整面６，６は、第２回動阻害を防止し、第１折り部および第２折部平行方向の容器のズレを抑制する。この点でも、包装スリーブ１０と容器５０との一体化を確実にする。
【００７８】
＜変形例＞
本願発明は、上記実施形態に限定されるものではなく、本願発明の技術思想の範囲内で様々な変形が可能である。また、下記変形例を適宜組み合わせてもよい。
【００７９】
〜変形例１〜
図７は、変形例１に係る包装スリーブの概略構成を示す図である。相違する構成についてのみ説明する。
【００８０】
本実施形態では、折り目３１，３１の中央に切り目３２が設けられるのに対し、変形例２では、折り目３１の両端に切り目３２，３２が設けられる。その結果、２つの係止部３４，３４が形成される。
【００８１】
さらに、折り目３１は、中央から切り目３２，３２端部方向に、側板２側に近づくように微小な勾配を有する。
【００８２】
変形例１は実質的に本実施形態と同様の構成を有する。したがって、本実施形態と同様の効果が得られる。
【００８３】
〜変形例２〜
図８は、変形例２に係る包装体の概略構成を示す図である。相違する構成についてのみ説明する。
【００８４】
本実施形態では、容器５０は略矩形であるのに対し、変形例３では、略円形または略楕円形である。包装スリーブ１０は同様の構成を有する。
【００８５】
容器底面５１が略円形または略楕円形であっても、係止部３４は容器底面５１に係止される。
【００８６】
容器フランジ５３が略円形または略楕円形であるので、端部フランジ留１６，１６は、曲線状のフランジ５３に当接される。
【００８７】
すなわち、変形例２においても、各構成は同様に作用する。したがって、本実施形態と同様の効果が得られる。
【００８８】
〜変形例３〜
図９は、変形例３に係る包装スリーブの概略構成を示す図である。相違する構成についてのみ説明する。
【００８９】
本実施形態は、切れ目１３，２３および付随する構成１４，１５，１６，１６，２４，２５，２６，２６を備えるのに対し、変形例３では対応する構成がない。
【００９０】
変形例３は、更に特殊板７を備える。特殊板７は、折り目４１，４１を介して側板３に連設される。特殊板７は、切り目４２と係止部４４と脚部４５を有する。
【００９１】
本実施形態では、容器５０はフランジ５３を有するのに対し、変形例３では、フランジがない容器にも対応できる。
【００９２】
係止部３４，４４が容器底面５１に係止される。これにより、包装スリーブ１０と容器５０とは、確実に一体化する。
【００９３】
脚部３５，４５により、包装体は自立する。これにより、天板１の印刷面と消費者の視線とは一致する。面陳列により、充分なアイキャッチ効果が期待できる。
【００９４】
〜変形例４〜
図１０は、変形例４に係る包装スリーブの概略構成を示す図である。相違する構成についてのみ説明する。
【００９５】
本実施形態は、特殊板４および付随する構成３１，３１，３２，３４，３５を備えるのに対し、変形例４では対応する構成がない。
【００９６】
本実施形態と同様に、容器フランジ５３の１辺は、スリット１４を挿通して突出し、中央フランジ係１５は、容器フランジ５３の返し部裏側に係止され、端部フランジ留１６，１６は、面取り部５４，５４に当接される。また、容器フランジ５３の反対側の１辺は、スリット２４を挿通して突出し、中央フランジ係２５は、容器フランジ５３の返し部裏側に係止され、端部フランジ留２６，２６は、面取り部５５，５５に当接される。
【００９７】
これにより、包装スリーブ１０と容器５０とは、確実に一体化する。
【符号の説明】
【００９８】
１  天板
２  側板
３  側板
４  特殊板
５  調整面
６  調整面
７  特殊板
１０  包装スリーブ
１１  折り目
１２  折り目
１３  切れ目
１４  スリット
１５  中央フランジ係
１６  端部フランジ留
２１  折り目
２２  折り目
２３  切れ目
２４  スリット
２５  中央フランジ係
２６  端部フランジ留
３１  折り目
３２  切れ目
３３  開口
３４  係止部
３５  脚部
４１  折り目
４２  切れ目
４４  係止部
４５  脚部
５０  容器
５１  容器底面
５２  容器側面
５３  フランジ
５４  面取り部
５５  面取り部
【図１】
0006433849.tif 000002
【図２】
0006433849.tif 000003
【図３】
0006433849.tif 000004
【図４】
0006433849.tif 000005
【図５】
0006433849.tif 000006
【図６】
0006433849.tif 000007
【図７】
0006433849.tif 000008
【図８】
0006433849.tif 000009
【図９】
0006433849.tif 000010
【図１０】
0006433849.tif 000011